(57)【要約】【課題】バストアップおよび乳房の寄せ効果を有するブラジャーを提供する。【解決手段】左右一対のカップと、前記各カップの脇縁部に連結された左右一対フレーム部と、前記各フレーム部から後方へ延びる左右一対のバックウイングとを備えるブラジャーに、前記各カップの上端部から、前記フレーム部およびバックウイング部を連結する部分である脇接ぎ合せ部にかけて延びる、一枚ものの部材である左右一対の脇パネルを設ける。【選択図】図１
2008266848.tif 000002
【特許請求の範囲】
【請求項１】
左右一対のカップと、
前記各カップの外側に連結された左右一対のフレーム部と、
前記各フレーム部から後方へ延びる左右一対のバックウイングと、
前記各カップの上端部から、前記フレーム部を経て、このフレーム部とバックウイング部とを連結する部分である脇接ぎ合せ部にまで延びる、一枚ものの部材である左右一対の脇パネルと
を備えているブラジャー。
【請求項２】
請求項１において、前記脇パネルの上縁部が、前記ブラジャーの脇側の上縁部である脇側上辺部に沿って形成されているブラジャー。
【請求項３】
請求項２において、前記脇パネルの上縁部が、前記脇側上辺部に沿って取り付けられているブラジャー。
【請求項４】
請求項１〜３のいずれか１項において、前記脇パネルの前記脇接ぎ合せ部における縦方向幅が、脇接ぎ合せ部の縦方向長さの２分の１以上であるブラジャー。
【請求項５】
請求項１〜４のいずれか１項において、前記左右一対のカップの内側部が、一対のカップの頂点を通る直線よりも下方位置で互いに連結されているブラジャー。
【発明の詳細な説明】
【技術分野】
【０００１】
本発明は、バストアップおよび乳房の寄せ効果を有するブラジャーに関する。
【背景技術】
【０００２】
ブラジャーには、着用感の良さとともに、バストアップ、谷間の強調のように乳房の形を整え、美しいシルエットを形成することが期待されている。
【０００３】
これまでに、乳房の寄せ効果を有するブラジャーとして、左右のカップの脇側上辺部に沿って脇パネルを備えるものが提案されている。このブラジャーでは、カップやストラップの引っ張り力によって上方および中央に寄せられた乳房を脇パネルで支えることにより、乳房がカップの上脇方向にはみ出して扁平化することが抑制される。
【発明の開示】
【発明が解決しようとする課題】
【０００４】
しかしながら、脇寄せパネルがカップの脇側上辺部にのみ設けられている上記のブラジャーでは、カップよりも外側の脇部の筋肉や脂肪がブラジャーの外側にはみ出すことを抑制できないため、乳房の寄せ効果が十分ではなかった。
【０００５】
そこで、本発明は、バストアップおよび乳房の寄せ効果を有するブラジャーを提供することを目的とする。
【課題を解決するための手段】
【０００６】
前記した目的を達成するために、本発明に係るブラジャーは、左右一対のカップと、  前記各カップの外側に連結された左右一対のフレーム部と、前記各フレーム部から後方へ延びる左右一対のバックウイングと、前記各カップの上端部から、前記フレーム部を経て、このフレーム部とバックウイングとを連結する部分である脇接ぎ合せ部にまで延びる、一枚ものの部材である左右一対の脇パネルとを備えている。ここで「外側」とは、着用者の身体の脇側を意味する。また、以下の記載において「内側」とは、着用者の身体の中心側を意味する。
【０００７】
このブラジャーによれば、乳房やその周辺の筋肉および脂肪がブラジャーの脇上方へはみ出すことを抑制する脇パネルを、カップの脇側上辺部のみならず、フレーム部の上辺部を経て脇接ぎ合せ部にまで一枚ものの部材として設けることにより、ブラジャーがカップとフレーム部の連結部分で柔軟に折れ曲がるのを抑制して、乳房に加えて脇部分の筋肉及び脂肪までも効果的に前方に寄せることが可能となり、乳房の寄せ効果が大幅に向上する。
【０００８】
前記ブラジャーにおいて、前記脇パネルの上縁部が、前記ブラジャーの脇側の上縁部である脇側上辺部に沿って形成されていることが好ましい。このような構成とすることで、脇部の筋肉及び脂肪がブラジャー脇部の上方へはみ出すことを効果的に抑制することができる。
【０００９】
より好ましくは、前記脇パネルの上縁部が、前記脇側上辺部に沿って取り付けられている。このような構成とすることで、カップの脇側上辺部およびフレーム部の上辺部の縫製と一緒に脇パネルも縫着できるから、加工工数が少なくて済む。
【００１０】
また、本発明に係るブラジャーにおいて、前記脇パネルの前記脇接ぎ合せ部における縦方向幅を、脇接ぎ合せ部の縦方向長さの２分の１以上とすることが好ましい。このような構成とすることで、脇部分の筋肉や脂肪を支える効果が顕著となり、乳房の寄せ効果がさらに向上する。
【００１１】
さらに、本発明に係るブラジャーにおいて、前記左右一対のカップの内側部が、一対のカップの頂点を通る直線よりも下方位置で互いに連結されていてもよい。脇部分の筋肉及び脂肪が乳房とともに効果的に前方に寄せられる前記ブラジャーにおいて、左右のカップの連結部分を下方とすることにより、胸の谷間を強調する効果が一層顕著となる。
【発明の効果】
【００１２】
以上のように、本発明のブラジャーによれば、乳房に加えて脇部分の筋肉及び脂肪までも効果的に前方に寄せることが可能となり、乳房の寄せ効果が大幅に向上する。
【発明を実施するための最良の形態】
【００１３】
以下、本発明の好ましい実施形態について図面を参照しながら詳細に説明する。図１は、本発明の一実施形態に係るブラジャーＢを裏側（着用者に接する側）から見た構造を示す背面図である。図１に示すように、布製のブラジャーＢは、左右一対のカップ１Ｌ，１Ｒと、これらのカップの内側（着用者の身体中心側）を連結する連結部３と、カップ１Ｌ，１Ｒの外側（着用者の身体脇側）に連結されたバックストラップ５Ｌ，５Ｒと、カップ１Ｌ，１Ｒの上端部であるチェスト部７Ｌ，７Ｒとバックストラップ５Ｌ，５Ｒとを連結する左右一対の肩ストラップ９Ｌ，９Ｒとを有している。バックストラップ５Ｌ，５Ｒは、着用時に、そのカップに連結されていない側の端部同士がフック１１を介して接続される。カップ１Ｌ，１Ｒの下縁部を形成するワイヤループ１ａＬ，１ａＲには、カップ１Ｌ，１Ｒの湾曲形状に沿ってワイヤ１３Ｌ，１３Ｒが内包され、カップ１Ｌ，１Ｒの形状を保持している。また、カップ１Ｌ，１Ｒの裏面には、ポケット１５Ｌ，１５Ｒが設けられており、このポケット１５Ｌ，１５Ｒに乳房を持ち上げて中央に寄せるためのパット１７Ｌ，１７Ｒが挿入されている。
【００１４】
バックストラップ５Ｌ，５Ｒは、カップ１Ｌ，１Ｒに連結して着用者の脇部にフィットするフレーム部２１Ｌ，２１Ｒと、このフレーム部２１Ｌ，２１Ｒに連結して着用者の背面に延びるバックウイング２３Ｌ，２３Ｒとで構成されている。フレーム部２１Ｌ，２１Ｒとバックウイング２３Ｌ，２３Ｒとの連結部分である脇接ぎ合せ部２５Ｌ，２５Ｒの内部には、プラスチック製の脇ボーンが挿入されており、この脇ボーンによってブラジャーＢが脇骨に安定して保持される。
【００１５】
左右一対の肩ストラップ９Ｌ，９Ｒは、各一端がチェスト部７Ｌ，７Ｒに第１の連結具２７ＡＬ，２７ＡＲを介して連結され、他端がバックウイング２３Ｌ，２３Ｒの各上縁部に第２の連結具２７ＢＬ，２７ＢＲを介して連結されている。図１の実施形態では、左右の肩ストラップ９Ｌ，９Ｒは左右のバックウイング２３Ｌ，２３Ｒにそれぞれ連結されているが、左右の肩ストラップ９Ｌ，９Ｒを背中で交差させて、左の肩ストラップ９Ｌが右のバックウイング２３Ｒに、右の肩ストラップ９Ｒが左のバックウイング２３Ｌに、それぞれ連結されるようにしてもよい。
【００１６】
カップ１Ｌ，１Ｒの上端部に位置するチェスト部７Ｌ，７Ｒから脇接ぎ合せ部２５Ｌ，２５Ｒにかけて、ブラジャーＢの脇側の上縁部である脇側上辺部２９Ｌ，２９Ｒに沿って、脇パネル３１Ｌ，３１Ｒが設けられている。すなわち、カップ１Ｌ，１Ｒのワイヤ１３Ｌ，１３Ｒが内包されているワイヤループ１ａＬ，１ａＲは、同時にカップ１Ｌ，１Ｒとフレーム部２１Ｌ，２１Ｒとの連結部分となっているが、脇パネル３１Ｌ，３１Ｒは、チェスト部７Ｌ，７Ｒからワイヤループ１ａＬ，１ａＲをまたぎ、脇接ぎ合せ部２５Ｌ，２５Ｒにかけて連続した各一枚の厚手の布地として形成されており、その上縁部分をカップ１Ｌ，１Ｒからフレーム部２１Ｌ，２１Ｒにかけての脇側上辺部２９Ｌ，２９Ｒに沿って縫い付けることによって、ブラジャーＢに取付けられている。
【００１７】
各脇側上辺部２９Ｌ，２９Ｒには１本のアッパーテープ３５Ｌ，３５Ｒが縫着されており、このアッパーテープ３５Ｌ，３５Ｒの下側に脇パネル３１Ｌ，３１Ｒの上縁部を入れて両者を重ねた状態で縫着することにより、脇パネル３１Ｌ，３１Ｒがアッパーテープ３５Ｌ，３５Ｒと同時に縫着される。ワイヤ１３Ｌ，１３Ｒを内包した硬いワイヤループ１ａＬ，１ａＲは、脇パネル３１Ｌ，３１Ｒおよびアッパーテープ３５Ｌ，３５Ｒの上から縫着されている。ポケット１５Ｌ，１５Ｒの入口１５ａＬ，１５ａＲは、脇パネル３１Ｌ，３１Ｒにより覆われている。これにより、パット１７Ｌ，１７Ｒが入口１５ａＬ，１５ａＲから脱落するのを防止している。
【００１８】
図２に、図１の実施形態に係るブラジャーの要部を拡大背面図で示す。なお、この実施形態では左右対称な構造となっているので、以下では左側の要部のみを代表として説明する。この実施形態において、脇パネル３１Ｌの脇接ぎ合せ部２５Ｌにおける縦方向幅Ｗ１は、図２に実線で示すように、脇接ぎ合せ部２５Ｌの縦方向長さＷのほぼ３分の２としている。脇部の筋肉及び脂肪をより効果的に前方に寄せるために、この縦方向幅Ｗ１は、脇接ぎ合せ部２５Ｌの縦方向長さＷの２分の１以上とすることが好ましい。図２に二点鎖線で示すように、脇パネル３１Ｌの縦方向幅Ｗ１を、脇接ぎ合せ部２５Ｌの縦方向長さＷと等しくしてもよい。
【００１９】
また、図１に示すように、左右一対のカップ１Ｌ，１Ｒの内側部は、両カップの最も前側（図１の裏側）の点である頂点ＰＬ，ＰＲを通過する直線Ｘよりも下方位置で、連結部３を介して互いに連結されている。この例では、連結部３は、カップ１Ｌ，１Ｒの最下部とほぼ同一の上下方向位置に配置されている。カップ１Ｌ，１Ｒ，連結部３，およびバックストラップ５Ｌ，５Ｒの各下辺部、つまりブラジャーＢ全体の下辺部は、１本のアンダーテープ３７により連結されている。
【００２０】
次に、このブラジャーＢの作用について、着用状態のブラジャーの水平断面を模式的に示す図３を参照しながら説明する。図３（Ｂ）に示す従来例のように、カップ５０Ｌ，５０Ｒにのみ脇パネル５１Ｌ，５１Ｒが取付けられているブラジャーを着用した場合には、ブラジャーが、ワイヤループ５０ａＬ，５０ａＲの部分で柔軟に折れ曲がるので、脇部分の筋肉および脂肪５２Ｌ，５２Ｒがフレーム部５３Ｌ，５３Ｒの上方（図３（Ｂ）の手前側）にはみ出してしまうため、十分な乳房寄せ効果が得られない。これに対して、図３（Ａ）に示す本発明に係るブラジャーＢでは、一枚ものの脇パネル３１Ｌ，３１Ｒがカップ１Ｌ，１Ｒからフレーム部２１Ｌ，２１Ｒにかけて取付けられているために、ワイヤループ１ａＬ，１ａＲ部分の折れが抑制され、脇部分の筋肉および脂肪３２Ｌ，３２Ｒをブラジャーの外部に逃すことなく、前方に効果的に寄せることができる。特に、図２に示す脇パネル３１Ｌの脇接ぎ合せ部２５Ｌにおける縦方向幅Ｗ１を脇接ぎ合せ部２５Ｌの縦方向長さＷの２分の１以上としているので、この脇パネルの圧力によって、図３（Ａ）の脇部分の筋肉および脂肪３２Ｌ，３２Ｒを支える効果が顕著となり、乳房の寄せ効果が向上する。
【００２１】
さらには、一対のカップ１Ｌ，１Ｒ左右一対のカップ１Ｌ，１Ｒの内側部が、両カップの頂点ＰＬ，ＰＲを通過する直線Ｘよりも下方位置で連結されているので、バストの谷間を強調する効果も大幅に向上する。
【図面の簡単な説明】
【００２２】
【図１】本発明の一実施形態に係るブラジャーの裏面を示す背面図である。
【図２】本発明の一実施形態に係るブラジャーの要部を示す拡大背面図である。
【図３】（Ａ）は図１のブラジャーの着用状態の水平断面を示す模式図、（Ｂ）は従来のブラジャーの着用状態の水平断面を示す模式図である。
【符号の説明】
【００２３】
１Ｌ，１Ｒ  カップ
３  連結部
７Ｌ，７Ｒ  チェスト部
２１Ｌ，２１Ｒ  フレーム部
２３Ｌ，２３Ｒ  バックウイング
２５Ｌ，２５Ｒ  脇接ぎ合せ部
２９Ｌ，２９Ｒ  脇側上辺部
３１Ｌ，３１Ｒ  脇パネル
Ｂ  ブラジャー
ＰＬ，ＰＲ  頂点
Ｘ  直線
【図１】
2008266848.tif 000003
【図２】
2008266848.tif 000004
【図３】
2008266848.tif 000005